(57)【要約】【課題】商用電源に電力を回生できない場合でも、試験対象物の電力を確実に回生できる電力回生エージング装置を提供する。【解決手段】本発明の電力回生エージング装置１は、商用電源２１からの交流入力電圧を電源電圧として、この電源電圧を昇圧した直流電圧に変換して出力するＰＦＣ回路３１と、前記昇圧した直流電圧を入力とし、試験対象物である被試験電源１１に適した電力を、被試験電源１１に出力するインバータ３２と、被試験電源１１からの出力電圧を昇圧した直流回生電圧に変換し、回生線３８を介してインバータ３２の入力側に回生する電子負荷部としてのＤＣ／ＤＣアップコンバータ３３と、を備えている。【選択図】図４
2013247717.tif 000002
【特許請求の範囲】
【請求項１】
電源電圧を昇圧した直流電圧に変換して出力する昇圧部と、
前記昇圧した直流電圧を入力とし、試験対象物に適した電力を当該試験対象物に出力する電力供給部と、
前記試験対象物からの出力電圧を昇圧した直流回生電圧に変換し、前記電力供給部の入力側に回生する電子負荷部と、を備えたことを特徴とする電力回生エージング装置。
【請求項２】
前記電子負荷部は、前記試験対象物からの出力電圧を昇圧した第１電圧に変換する第１変換部と、前記第１電圧を前記昇圧した直流回生電圧に変換する第２変換部と、からなることを特徴とする請求項１記載の電力回生エージング装置。
【発明の詳細な説明】
【技術分野】
【０００１】
本発明は、テレビ受像機や電源機器などの各種電子機器製造に必須なエージング試験に利用される電力回生エージング装置に関する。
【背景技術】
【０００２】
一般に、各種電子機器は出荷前の製造工程において、初期欠陥不良の低減を主な目的として、エージング（ならし運転）試験が実施されている。エージング試験では、各種電子機器を試験対象物（試験片）として、この試験対象物を定格電流及び定格電圧で規定時間以上通電するために、試験対象物の負荷に抵抗を用いている。
【０００３】
しかし、エージング試験で一般的に用いられる抵抗負荷は、熱エネルギーとして消費しているため、電気料金コストと発熱が問題である。とりわけ、地球温暖化防止のために、製造工場での二酸化炭素排出量規制が厳しくなる中、発熱を抑えてランニングコストを削減することは重要課題である。
【０００４】
上述の課題を解決するために提案されたのが、電力回生技術を用いたエージング装置である。電力回生技術としては、例えば特許文献１に開示されるように、試験対象物である電源機器の出力端子に、所定の負荷特性機能を有する負荷装置を接続し、電源機器から受け取った電力を負荷装置により直流電力などの別な電力に変換して、商用電源に電力を回生するものが知られている。
【０００５】
また、別な特許文献２でも、交流電源または直流電源を試験対象物とし、試験対象物からの入力電流を、昇圧コンバータ回路により任意の波形の負荷電流に変換し、この負荷電流をインバータ回路により交流に変換して、交流電源に回生する電力回生エージング装置が提案されている。
【先行技術文献】
【特許文献】
【０００６】
【特許文献１】特開平６−２３３５４２号公報
【特許文献２】特開平５−３３３０７７号公報
【発明の概要】
【発明が解決しようとする課題】
【０００７】
しかし、上述した従来の電力回生エージング装置では、次のような欠点が存在する。
【０００８】
特許文献１や特許文献２の負荷装置は、電源機器に電力を供給する商用電源にそのまま交流電力を回生している。しかし、商用電源に電力を回生できない場合には、特許文献１や特許文献２の負荷装置をそのまま適用できない問題があった。
【０００９】
また、この種の電力回生エージング装置は、効率よく電力を回生することが求められる。しかし、単純に負荷装置を構成する個々のユニット（例えば、上述した昇圧コンバータ回路やインバータ回路）の効率を高めて、これらを組み合わせるだけでは、電力回生エージング装置として十分な効率が得られない。
【００１０】
そこで、本発明は上記問題点に鑑み、商用電源に電力を回生できない場合でも、試験対象物の電力を確実に回生できる電力回生エージング装置を提供することを主な目的とする。
【００１１】
また本発明は、高効率の電力回生エージング装置を提供することを第２の目的とする。
【課題を解決するための手段】
【００１２】
請求項１の電力回生エージング装置は、電源電圧を昇圧した直流電圧に変換して出力する昇圧部と、前記昇圧した直流電圧を入力とし、試験対象物に適した電力を当該試験対象物に出力する電力供給部と、前記試験対象物からの出力電圧を昇圧した直流回生電圧に変換し、前記電力供給部の入力側に回生する電子負荷部と、を備えて構成される。
【００１３】
請求項２の電力回生エージング装置は、請求項１の構成において、前記電子負荷部は、前記試験対象物からの出力電圧を昇圧した第１電圧に変換する第１変換部と、前記第１電圧を前記昇圧した直流回生電圧に変換する第２変換部と、からなることを特徴とする。
【発明の効果】
【００１４】
請求項１の発明によれば、試験対象物の入力側で、商用電源からの電源電圧をそのまま試験対象物に供給するのではなく、昇圧部で一旦昇圧した直流電圧に変換した上で、電力供給部により試験対象物に適切な電力に変換して、試験対象物に供給する。また、電子負荷部は、試験対象物からの出力電圧を抵抗負荷として消費するのではなく、昇圧した直流電圧に変換した上で、試験対象物に所望の電力を供給する電力供給部の入力側に回生する。こうすれば、試験対象物からの出力電力を商用電源に回生できない場合であっても、昇圧部と電力供給部を利用して、試験対象物からの出力電力を当該試験対象物の入力側へ確実に回生することができる。
【００１５】
請求項２の発明によれば、電子負荷部は試験対象物からの出力電圧を一気に昇圧した直流回生電圧に変換するのではなく、第１変換部と第２変換部の二段で昇圧した直流回生電圧に変換するので、第１変換部と第２変換部における個々の昇圧比を小さくして、高効率の電力回生エージング装置を提供できる。
【図面の簡単な説明】
【００１６】
【図１】本発明における電力回生エージング装置の全体構成を示した説明図である。
【図２】同上、電力回生エージング装置の正面図である。
【図３】同上、電力回生エージング装置の斜視図である。
【図４】同上、電力回生エージング装置の主要な内部構成を示したブロック図である。
【発明を実施するための形態】
【００１７】
以下、本発明における電力回生エージング装置の一実施例について、添付図面を参照しながら説明する。
【００１８】
図１は、本実施形態で提案する電力回生エージング装置１の全体構成図である。同図において、電力回生エージング装置１は、商用電源２１（図４を参照）からの電力供給を受けて、エージングの試験対象物となる一乃至複数の試験片１１Ａ，１１Ｂに所望の電力を供給すると共に、各試験片１１Ａ，１１Ｂからの電力を回生するために、装置外郭をなすケーシング３の内部に電力回生電子負荷回路ブロック４が設けられる。また、ケーシング３の外面には、入力電力測定用の電力計５と、出力電力測定用の電力計６と、試験片１１Ａ，１１Ｂとの接続部となるコンセント７とをそれぞれ具備している。
【００１９】
電力計５は、商用電源２１のコンセントに着脱可能なプラグ８と、電力回生電子負荷回路ブロック４の入力端との間の交流入力線９に挿入接続される。また、電力計６は、電力回生電子負荷回路ブロック４の出力端と、コンセント７との間の交流出力線１０に挿入接続される。電力計５は、プラグ８を介して電力回生電子負荷回路ブロック４に印加する交流入力電力を測定するためのものであり、電力計６は、電力回生電子負荷回路ブロック４から試験片１１Ａ，１１Ｂに供給する交流出力電力を測定するためのものである。
【００２０】
本実施例における試験片１１Ａ，１１Ｂは、電子負荷回路ブロック４からコンセント７を介して印加される交流電圧を、一乃至複数の直流電圧に変換して出力する絶縁型のＡＣ／ＤＣ試験電源を使用している。各試験片１１Ａ，１１Ｂの入力側には、コンセント７に着脱可能なプラグ１４Ａ，１４Ｂが設けられる。また、各試験片１１Ａ，１１Ｂと電力回生電子負荷回路ブロック４との間には電力回生用の負荷線１５Ａ，１５Ｂがそれぞれ接続され、各試験片１１Ａ，１１Ｂから出力される直流電圧を電力回生電子負荷回路ブロック４に回生する構成となっている。
【００２１】
試験片１１Ａ，１１Ｂは、電力回生エージング装置１の最大出力電力を超えない範囲で、コンセント７に一乃至複数台接続してエージング試験を行なうことが可能である。また、電力回生エージング装置１の出力電力は、電力回生電子負荷回路ブロック４の定電流調整部（図示せず）で可変できるように構成するのが好ましい。
【００２２】
図２及び図３は、電力回生エージング装置１の一外観を示す図である。図２は、試験片１１Ａ，１１Ｂのプラグ１４Ａ，１４Ｂをコンセント７に接続していない状態を示しているが、電源スイッチ１６を装着したケーシング３の正面外側には、電力回生エージング装置１の交流入力電力と交流出力電力を同じ方向から一目で確認できるように、前述した電力系５，６が並設される。また、試験片１１Ａ，１１Ｂを電力回生エージング装置１に簡単に接続できるように、電力計５，６のみならずコンセント７もケーシング３の正面外側に配設される。一方、ケーシング７の背面側には、電子負荷回路ブロック４を構成するスイッチング素子やダイオードなどの発熱部品を強制冷却するために、ファンモータを内蔵する冷却装置１８（図４を参照）が配設される。
【００２３】
一例として、本実施例における電力回生エージング装置１は、全世界の商用電源に対応できるように、交流１００Ｖ乃至２００Ｖを入力電圧とし、コンセント７に交流２００Ｖの出力電圧を生成する仕様となっている。コンセント７の接続口数は２であるが、これは電力回生エージング装置１や試験片１１Ａ，１１Ｂの出力電力を考慮して、適宜変更してよい。
【００２４】
図３は、試験片１１Ａ，１１Ｂのプラグ１４Ａ，１４Ｂをコンセント７に接続した状態を示している。同図において、各試験片１１Ａ，１１Ｂはケーシング３の外部にそれぞれ配置される。一例として、本実施例における試験片１１Ａ，１１Ｂは、全世界の商用電源に対応できる広範囲な入力電圧範囲（例えば、ＡＣ８０Ｖ〜２４０Ｖ）を有し、複数の直流出力電圧チャンネル（例えば、ＤＣ２４Ｖ，１２Ｖ，５Ｖの３チャンネル）を生成する仕様となっている。
【００２５】
図４は、本実施例における電力回生エージング装置１の基本的な構成を示したものである。なお、ここでは説明の都合上、図１や図３で示したＡＣ／ＤＣ電源としての試験片１１Ａ，１１Ｂを、単一の被試験電源１１として表記する。同図において、ケーシング３の内部には、被試験電電源１１の出力側から入力側に電力を回生する電力回生電子負荷回路ブロック４として、ＰＦＣ（力率改善）回路３１と、インバータ３２と、ＤＣ／ＤＣアップコンバータ３３と、制御部３４がそれぞれ設けられる。また、電力回生電子負荷回路ブロック４からケーシング３内に放散する熱を、ケーシング３の外部に排気するために、前述の冷却装置１８がケーシング３に装着される。被試験電源１１がＮ個の試験片１１Ａ，１１Ｂ，…１１Ｎで構成される場合、これらの試験片１１Ａ，１１Ｂ，…１１Ｎは、インバータ３２とＤＣ／ＤＣアップコンバータ３３との間に並列接続される。
【００２６】
本図には示していないが、電力回生電子負荷回路ブロック４を構成するＰＦＣ回路３１，インバータ３２，ＤＣ／ＤＣアップコンバータ３３および制御部３４と、冷却装置１８は、何れもケーシング３内に設けられたサブ電源からの動作電圧を受けて、それぞれが起動するようになっている。つまり本実施例では、ケーシング３内で各部に動作電圧を供給するサブ電源を共用することで、ケーシング３ひいては電力回生エージング装置１のコンパクト化を図っている。ここでのサブ電源は、商用電源２１からの交流入力電圧に基づいて、安定化した所望の直流動作電圧を生成するものである。
【００２７】
ＰＦＣ回路３１とインバータ３２は、被試験電源１１に所望の交流入力電圧を供給する電力回生電子負荷回路ブロック４のＡＣ電源部として設けられる。ＰＦＣ回路３１は、商用電源２１からの交流入力電圧を整流するダイオードブリッジなどの整流器と、半導体によるスイッチング素子を備えた昇圧チョッパ回路とを組み合わせて構成され、スイッチング素子の制御端子に適切な導通幅のパルス駆動信号を繰り返し与えることにより、昇圧チョッパ回路が整流器からの電流波形を電圧波形に近付けて力率を改善すると共に、交流入力電圧の実効値よりも高い値（例えば、３５０Ｖ）の昇圧した直流電圧を生成するものである。またインバータ３２は、ＰＦＣ回路３１からの昇圧した直流電圧を入力として、複数個の半導体によるスイッチング素子を備えて構成され、各スイッチング素子の制御端子に適切な導通幅と周波数のパルス駆動信号を繰り返し与えることにより、被試験電源１１の入力電圧として印加する交流電圧の電圧値と周波数を制御するものである。ここでのインバータ３２は、エージング対象となる被試験電源１１の仕様に併せて、例えば８０Ｖ〜２４０Ｖの範囲で、５０Ｈｚまたは６０Ｈｚの周波数を有する交流電圧を、被試験電源１１に供給できるようになっている。
【００２８】
一方、被試験電源１１の出力側に接続するＤＣ／ＤＣアップコンバータ３３は、エージング試験での負荷となる抵抗に代わって、電力回生電子負荷回路ブロック４のＡＣ電子負荷部として設けられている。ＤＣ／ＤＣアップコンバータ３３は二段の変換部、すなわち被試験電源１１からの直流出力電圧を、昇圧した第１電圧に変換する第１昇圧チョッパ回路３６と、この第１電圧を昇圧した直流回生電圧に変換して、インバータ３２の入力側に回生する第２昇圧チョッパ回路３７を備えて構成される。各昇圧チョッパ回路３６，３７は、前述したＰＦＣ回路３１の昇圧チョッパ回路と同じく、スイッチング素子やチョークコイルなどを備えた回路構成を有し、スイッチング素子の制御端子に適切な導通幅のパルス駆動信号を繰り返し与えることで、第１電圧や第２電圧の各電圧値を制御する構成となっている。
【００２９】
一例として、第１昇圧チョッパ回路３６は、被試験電源１１からのＤＣ１２ＶまたはＤＣ２４Ｖの直流出力電圧をＤＣ８０Ｖの第１電圧に昇圧すると共に、第２昇圧チョッパ回路３７は、第１昇圧チョッパ回路３６からの第１電圧をＤＣ３５０Ｖの第２電圧に昇圧する。このように、昇圧チョッパ回路３６，３７の段数を一段ではなく、あえて二段に増やすことで、個々の昇圧チョッパ回路３６，３７の昇圧比を小さくして、電力回生エージング装置１としての効率低下を抑制できる。
【００３０】
また、電力回生エージング装置１の効率を低下させないために、本実施例では、Ｎ個の試験片１１Ａ，１１Ｂ，…１１Ｎからの各直流出力電圧（例えばＤＣ１２Ｖ）を、個々に昇圧チョッパ回路３６，３７で昇圧させるのではなく、これらを一纏めにして、単一の第１昇圧チョッパ回路３６と第２昇圧チョッパ回路３７で昇圧させる構成を採用している。この場合、直流出力電圧の微妙な差が原因で、試験片１１Ａ，１１Ｂ，…１１Ｎの間で出力電流のアンバランスが生じないように、例えば各試験片１１Ａ，１１Ｂ，…１１ＮからＤＣ／ＤＣアップコンバータ３３への負荷線１５の途中にダイオードを挿入接続したり、各試験片１１Ａ，１１Ｂ，…１１Ｎに内蔵する電流バランス回路（図示せず）を利用したりしてもよい。
【００３１】
ＤＣ／ＤＣアップコンバータ３３とインバータ３２の入力側との間には回生線３８が接続され、この回生線３８を介して、ＤＣ／ＤＣアップコンバータ３３で昇圧された直流回生電圧が被試験電源１１の入力側に回生される。また、前記回生線３８と、ＰＦＣ回路３１からインバータ３２の入力側に至る電源線３９には、それぞれ逆流防止用のダイオード４１，４２が挿入接続される。
【００３２】
制御部３４は、電力回生電子負荷回路ブロック４の各部を共通に制御する制御用ＩＣとして、ケーシング３の内部に設けられる。より具体的には、制御部３４は、ＰＦＣ回路３１で生成される昇圧した直流電圧を監視し、この昇圧した直流電圧が所望の値となるように、ＰＦＣ回路３１のスイッチング素子に所望の導通幅を有するパルス駆動信号を供給し、インバータ３２で生成される交流電圧を監視し、この交流電圧が所望の値と周波数になるように、ＰＦＣ回路３１の各スイッチング素子に所望の導通幅と周波数を有するパルス駆動信号をそれぞれ供給し、ＤＣ／ＤＣアップコンバータ３３で生成される第１電圧と第２電圧をそれぞれ監視し、この第１電圧と第２電圧が所望の値となるように、第１昇圧チョッパ回路３６と第２昇圧チョッパ回路３７の各スイッチング素子に所望の導通幅を有するパルス駆動信号を供給するものである。
【００３３】
ここで、制御部３４を電力回生電子負荷回路ブロック４の各部に共通して設けたのは、ＰＦＣ回路３１，インバータ３２およびＤＣ／ＤＣアップコンバータ３３のそれぞれに制御部を設けた場合に比べて、電力回生電子負荷回路ブロック４の制御を実行するプログラムがコピーされにくくなるからである。
【００３４】
次に、上記構成についてその作用を説明すると、予めエージング試験の対象となる一乃至複数の試験片１１Ａ，１１Ｂをケーシング３の近傍に設置し、試験片１１Ａ，１１Ｂの入力側に設けたプラグ１４Ａ，１４Ｂをコンセント７に装着すると共に、試験片１１Ａ，１１Ｂの出力側と電力回生電子負荷回路ブロック４との間に負荷線１５Ａ，１５Ｂを繋いで、電力回生エージング装置１と被試験電源１１とを接続する。また、電力回生エージング装置１のプラグ８を商用電源２１のコンセントに装着する。
【００３５】
この状態から、ケーシング３の正面に露出して配置される電源スイッチ１６をオフからオンに切替えると、商用電源２１からの電源電圧がコンセント８を介して電力回生電子負荷回路ブロック４に印加され、ケーシング３の外部に露出させた電力計５により、電力回生エージング装置１への入力電力が目視で確認できる。また、商用電源２１からの電源電圧を受けて、ケーシング３内部の補助電源が電力回生電子負荷回路ブロック４の各部に所望の動作電圧を供給すると、制御部３４からＰＦＣ回路３１と、インバータ３２と、ＤＣ／ＤＣアップコンバータ３３の各スイッチング素子に、それぞれ適切なパルス駆動信号が与えられる。
【００３６】
ＰＦＣ回路３１は、商用電源２１からの電源電圧を整流器で整流した後、内蔵するスイッチング素子のスイッチング動作により、この整流電圧を昇圧した直流電圧に変換して、ダイオード４２を通してインバータ３２に出力する。制御部３４は、昇圧した直流電圧が安定化するように、ＰＦＣ回路３１のスイッチング素子に供給するパルス駆動信号の導通幅を調整する。
【００３７】
インバータ３２は、内蔵するスイッチング素子のスイッチング動作により、ＰＦＣ回路３１からの昇圧した直流電圧を、被試験電源１１の入力電圧として適切な周波数と電圧値の交流電圧に変換する。ここでも制御部３４は、被試験電源１１に供給する交流電圧が所望の周波数と電圧値を有するように、インバータ３２のスイッチング素子に供給するパルス駆動信号の導通幅と周波数を調整する。インバータ３２から被試験電源１１への出力電力は、ケーシング３の外部に露出させた電力計６により目視で確認できる。
【００３８】
被試験電源１１を構成する各試験片１１Ａ，１１Ｂは、インバータ３２からの交流入力電圧を受けて、各チャンネルから負荷線１５を通してＤＣ／ＤＣアップコンバータ３３に直流出力電圧を供給する。ＤＣ／ＤＣアップコンバータ３３は、各試験片１１Ａ，１１Ｂからの同じ値の直流出力電圧を一纏めにして、第１昇圧チョッパ回路３６で第１電圧に変換し、さらにこの第１電圧を別な第２昇圧チョッパ回路３７で第２電圧に変換する。ＤＣ／ＤＣアップコンバータ３３からの第２電圧は、回生線３８からダイオード４１を通してインバータ３２の入力側に戻される。
【００３９】
このように、各試験片１１Ａ，１１Ｂからの各直流出力電圧をそれぞれの昇圧チョッパ回路で昇圧するのではなく、一つの第１昇圧チョッパ回路３６と第２昇圧チョッパ回路３７で二段階に昇圧することで、ＤＣ／ＤＣアップコンバータ３３内部の損失を極力抑えることが可能になる。また、ＡＣ電子負荷部となるＤＣ／ＤＣアップコンバータ３３は、被試験電源１１からの出力電圧を、インバータ３２の入力側に回生できるように、二段の昇圧チョッパ回路３６，３７で昇圧した直流第２電圧に変換している。そのため、被試験電源１１からの出力電力を商用電源に戻す必要がなく、被試験電源１１からの出力電力を被試験電源１１の入力側へ確実に回生できる。
【００４０】
なお、上述した電力回生エージング装置１の動作中は、冷却装置１８のファンモータが回転駆動し、ケーシング３内の加熱空気を外部に排出する。これにより、エージング試験中に電力回生電子負荷回路ブロック４を安定して動作させることが可能になる。
【００４１】
以上のように、本実施例で提案する電力回生エージング装置１は、商用電源２１からの交流入力電圧を電源電圧として、この電源電圧を昇圧した直流電圧に変換して出力する昇圧部としてのＰＦＣ回路３１と、前記昇圧した直流電圧を入力とし、試験対象物である被試験電源１１に適した電力を、被試験電源１１に出力する電力供給部としてのインバータ３２と、被試験電源１１からの一乃至複数の出力電圧を昇圧した直流回生電圧に変換し、回生線３８を介してインバータ３２の入力側に回生する電子負荷部としてのＤＣ／ＤＣアップコンバータ３３と、を備えている。
【００４２】
この場合、被試験電源１１の入力側で、商用電源２１からの電源電圧をそのまま被試験電源１１に供給するのではなく、ＰＦＣ回路３１で一旦昇圧した直流電圧に変換した上で、インバータ３２により被試験電源１１に適切な電力に変換して、被試験電源１１に供給する。また、ＤＣ／ＤＣアップコンバータ３３は、被試験電源１１からの出力電圧を抵抗負荷として消費するのではなく、昇圧した直流電圧に変換した上で、被試験電源１１に所望の電力を供給するインバータ３２の入力側に回生する。こうすれば、被試験電源１１からの出力電力を商用電源に回生できない場合であっても、前述のＰＦＣ回路３１とインバータ３２を利用して、被試験電源１１からの出力電力を被試験電源１１の入力側へ確実に回生することができる。
【００４３】
また、本実施例のＤＣ／ＤＣアップコンバータ３３は、被試験電源１１を構成する複数の試験片１１Ａ，１１Ｂ，…１１Ｎからの各出力電圧を一纏めにして入力し、これを昇圧した一つの第１電圧に変換する第１変換部としての第１昇圧チョッパ回路３６と、第１電圧を昇圧した直流回生電圧に変換する第２変換部としての第２昇圧チョッパ回路３７と、により構成される。
【００４４】
この場合のＤＣ／ＤＣアップコンバータ３３は、被試験電源１１からの出力電圧を一気に昇圧した直流回生電圧に変換するのではなく、第１昇圧チョッパ回路３６と第２昇圧チョッパ回路３７の二段で昇圧した直流回生電圧に変換するので、第１昇圧チョッパ回路３６と第２昇圧チョッパ回路３７における個々の昇圧比を小さくして、高効率の電力回生エージング装置１を提供できる。
【００４５】
その他に本実施例では、Ｎ個の試験片１１Ａ，１１Ｂ，…１１Ｎからの同じ電圧値の各直流出力電圧を一纏めにして、単一の第１昇圧チョッパ回路３６と第２昇圧チョッパ回路３７で昇圧させる構成を採用しているので、この点でもさらに高効率の電力回生エージング装置１を提供できる。
【００４６】
以上、本発明を実施例に基づいて説明したが、本発明は上記実施例に限定されるものではなく、本発明の趣旨を逸脱しない範囲で種々の変更実施が可能である。例えば、実施例中に示した電圧や周波数の値はあくまでも一例であり、実際の被試験電源１１の仕様などを考慮して適宜変更してよい。また、ＰＦＣ回路３１，インバータ３２，ＤＣ／ＤＣアップコンバータ３３の回路構成は、実施例中に説明したものに限定されず、同等の機能を発揮するものであれば、どのような回路構成であっても構わない。さらに試験対象物として、試験片１１Ａ，１１Ｂ，…１１ＮであるＡＣ／ＤＣ試験電源の他に、テレビ受像機や電源機器などの各種電子機器を適用することも可能である。
【符号の説明】
【００４７】
１  電力回生エージング装置
１１  被試験電源（試験対象物）
３１  ＰＦＣ回路（昇圧部）
３２  インバータ（電力供給部）
３３  ＤＣ／ＤＣアップコンバータ（電子負荷部）
３６  第１昇圧チョッパ回路（第１変換部）
３７  第２昇圧チョッパ回路（第２変換部）
【図１】
2013247717.tif 000003
【図４】
2013247717.tif 000004
【図２】
2013247717.tif 000005
【図３】
2013247717.tif 000006